【事件の表示】
　特願２０００−１８４３８５「低ビットレートアプリケーション用にＡＴＭセルを生成するための方法」拒絶査定不服審判事件〔平成１３年　２月１６日出願公開、特開２００１−　４５００５〕について、次のとおり審決する。
【結　論】
　本件審判の請求は、成り立たない。
【理　由】
１．手続の経緯と本願発明
　本件出願は、平成１２年６月２０日（パリ条約による優先権主張１９９９年６月３０日、欧州特許庁）を出願日とする特許法第３６条の２第１項の規定による特許出願であって、平成１２年８月１５日付けで明細書、図面及び要約書の翻訳文が提出され、平成１９年６月６日付けで手続補正書が提出され、平成２１年１２月１日付けで拒絶理由が通知され、これに対して平成２２年６月７日付けで意見書及び手続補正書が提出されたが、平成２２年６月２１日付けで拒絶査定がなされ、これに対して平成２２年１０月２８日付けで拒絶査定に対する審判請求がなされると同時に同日付けで手続補正書が提出されたものであって、その請求項１に係る発明（以下、「本願発明」という。）は、平成２２年１０月２８日付け手続補正書の特許請求の範囲の請求項１に記載された以下のとおりのものと認める。
　
「低ビットレートアプリケーション用にＡＴＭセルを生成する方法であって、
　複数の着信データユニットストリームを複数の着信ショートパケットストリームへ変換するためのセグメント化およびパケット化のステップであってデータユニットをショートパケットへパケット化する前に長いデータユニットをセグメント化することを含むステップと、
　種々の着信データユニットストリームの長いデータユニットに対応するショートパケットを単一の発信ショートパケットストリームにインタリーブできるような形で、前記複数の着信ショートパケットストリームを、ひとつの同じＡＴＭ接続にまとめるための前記単一の発信ショートパケットストリームに多重化し、および種々の着信ショートパケットストリームを前記単一の発信ショートパケットストリームへとスケジュールするための多重化およびスケジューリングのステップとを含む方法。」
　
２．引用発明
　原査定の拒絶の理由に引用された特開平１１−８８３６０号公報(以下、「引用例」という。)には、「ショートセル多重装置」に関し、図面とともに以下の事項が記載されている。
　
ア．「【発明の詳細な説明】
【０００１】
【発明の属する技術分野】本発明は、ＡＴＭ(非同期転送モード)での通信において、低ビットレートの情報を格納した複数のショートセルを、ＡＴＭコネクション上にて多重処理する装置に関する。
【０００２】
【従来の技術】一般に、ＡＴＭ網を用いて通信を行う場合には、４８バイトの固定長のデータ格納領域であるペイロードにデータが埋め込まれたＡＴＭセルを送信元から送信先へ転送することで行われる。ＡＴＭセルは、ＡＴＭ網内を伝送される際には、１コネクションにつき１つの宛先(ＶＰＩ／ＶＣＩ：バーチャルパス識別子／バーチャルコネクション識別子)が割り当てられる。このため、１つのＡＴＭセルのヘッダには、１コネクションのみの情報が埋め込まれて伝送される。
【０００３】ところで、無線を利用した移動通信の分野では、通信帯域の有効利用のため、ＡＴＭセルのペイロードには、伝送すべき情報が圧縮符号化された状態で埋め込まれる(セル化)。この圧縮符号化された情報(圧縮符号化情報)は、数ｂｐｓ〜数十ｂｐｓであり、ＡＴＭセルの伝送速度と比較すると非常に低ビットレートの情報である。低ビットレートの情報は、その発生(到着)に時間がかかる。このため、例えば、順次発生する圧縮符号化情報をＡＴＭセルのペイロードに直接格納し、ペイロードが圧縮符号化情報で満たされた場合にはそのＡＴＭセルをＡＴＭ網へ送出するといった手法を採ると、セル化の遅延，即ち、データ伝送の遅延が生じる。このデータ伝送の遅延は、通信の品質低下を招いてしまうので望ましくない。
【０００４】そこで、上述したセル化遅延によるデータ伝送の遅延を抑制し、且つ伝送帯域の有効利用を図ることのできる転送方式が、ＡＴＭフォーラムやＩＴＵ−Ｔ等で検討されている。この検討における転送方式の一つとして、ＡＴＭセルのペイロードに情報長の短い可変長のショートセルを複数埋め込む方式が提案されている。
【０００５】図１５は、ショートセルをＡＴＭセルのペイロードに多重処理する際の概念図である。図１５において、ショートセル１は、ショートセルヘッダ２とショートセルペイロード３とからなる。ショートセルヘッダ２内には、ショートセルのコネクションを識別するためのＣＩＤ(ショートセルコネクション識別子)と、そのショートセルのペイロード長を示す長さ表示(ＬＩ)が含まれている。
【０００６】そして、図１５に示すように、複数のショートセル１は、ＡＴＭセル５のペイロード７内に多重化されて転送される。このとき、ショートセル１がペイロード７に埋め込まれる位置によっては、一つのショートセル１が二つのＡＴＭセル５にまたがって埋め込まれる場合もある(オーバーラップという)。
【０００７】このように、複数のショートセル１を同一のコネクション上で転送されるＡＴＭセル５内に多重化すれば、各ショートセルに付されるＣＩＤの分だけＡＴＭセル５のペイロード７が満杯となる時間の短縮が図られるので、セル化の遅延，即ちデータ伝送の遅延が抑えられる。」(３頁３〜４欄）
　
イ．「【００１２】図１７は、上述した構成を備えるショートセル多重装置の概念図である。図１７において、ショートセル多重装置は、ショートセル識別手段１６，ショートセル書き込み手段１７，ショートセル格納手段１８，ショートセル読み出し手段１９，及び読み出し順序制御手段２０から構成される。ショートセル識別手段１６には、到着したショートセル１が入力される。
【００１３】ショートセル識別手段１６は、自身に入力されたショートセル１のショートセルヘッダ２に格納されたＣＩＤに基づいて、コネクションの識別処理(コネクションの設定有無の確認を行い、例えば「設定なし」であった場合にはそのショートセル１を廃棄する等)を行う。また、ショートセル１のＣＩＤに基づいて、ショートセル１がどの品質クラスに属するかの識別処理を行う。
【００１４】ショートセル格納手段１８は、複数のＦＩＦＯ２２ａ〜２２ｎで構成される。ＦＩＦＯ２２ａ〜２２ｎの夫々は、上述した品質クラスに応じたショートセル１の各格納領域を構成する。ＦＩＦＯ２２ａ〜２２ｎの夫々には、ショートセル識別手段１６の識別結果に基づいて、同一のＣＩＤを有するショートセル１が夫々格納される。
【００１５】ショートセル書き込み手段１７は、例えばセレクタで構成される。ショートセル書き込み手段１７は、ショートセル識別手段１６からショートセル１を受け取るとともに、ショートセル識別手段１６による識別結果(例えば、品質クラス番号)を受け取る。すると、ショートセル書き込み手段１７は、品質クラス番号に従って自身の出力を切り替えることによって、ショートセル識別手段１６から転送されてきたショートセル１を、該当する品質クラスのＦＩＦＯ２２に格納する。
【００１６】読み出し順序制御手段２０は、ＦＩＦＯ２２ａ〜２２ｎの夫々に格納されたショートセル１の読み出し順序をショートセル読み出し手段１９に指示する。例えば、読み出し順序制御手段２０は、予め設定された送出帯域に応じた読み出し順序を指定するアルゴリズムに従って、読み出したいショートセル１の品質クラスの指定指示をショートセル読み出し手段１９に与える。
【００１７】ショートセル読み出し手段１９は、読み出し順序制御手段２０から品質クラスの指定指示を受け取ると、自身の出力を切り替ることによって、指定指示に対応するＦＩＦＯ２２からショートセル１を読み出す。このとき、ショートセル読み出し手段１９は、該当するＦＩＦＯ２２からショートセル１を一つ読み出す。このとき、読み出し順序制御手段２０は、読み出されたショートセル１が埋め込まれるペイロード７が満杯となっているか否かを判定し、満杯になっていない場合には、品質クラスの指定指示をショートセル読み出し手段１９に与える。このようにして、読み出し順序制御手段２０は、ペイロード７が満杯となったと判定するまでショートセル読み出し手段１９に品質クラスの指定指示を与える。これによって、ＦＩＦＯ２２ａ〜２２ｎの何れかから複数のショートセル１が順次読み出され、ＡＴＭセルヘッダ生成部１２に対して送出される。
【００１８】そして、ＡＴＭセルヘッダ生成部１２が、ショートセル読み出し手段１９から読み出された複数のショートセル１にＡＴＭセルヘッダ６を付加して出力することによって、ペイロード５に多重化されたショートセル１が埋め込まれたＡＴＭセル５が作成され、このＡＴＭセル５がＡＴＭ網へ転送される。」（４頁５〜６欄）
　
ウ．「【００２０】図１８は、読み出し順序制御手段２０による順序指定制御の概念図である。本方法では、読み出し順序制御手段２０が有するメモリ又はレジスタ内に品質クラス番号を読み出したい順序で並べた読み出し順序パターンを記憶させておく。
【００２１】図１８に示す例では、メモリ又はレジスタには１０個の設定領域が形成されており、各設定領域のそれぞれには、クラス１,クラス２,クラス３からなる品質クラスの何れかのクラス番号が格納されている。そして、設定領域の夫々に格納されたクラス番号は、紙面の左側から読み出し順序の順番で並べられている。これによって、読み出し順序制御手段２０は、１→２→１→２→１→２→３→１→２→１という順序(読み出し順序パターン)で品質クラスの指定指示(ショートセル１の読み出し指示)をショートセル読み出し手段１９に繰り返し与える。すると、ショートセル読み出し手段１９は、上記順序でＦＩＦＯ２２ａ〜２２ｃの夫々からショートセル１を読み出す。」（４頁６欄〜５頁７欄）
　
エ．「【００２２】
【発明が解決しようとする課題】しかしながら、上述した方法には以下の問題があった。即ち、上述した方法では、品質クラス毎にどの程度の読み出し帯域とするかを予め決めておき、上述した読み出し順序設定パターン内でその品質クラス番号を何回指定するかで帯域を決めることとなる。図１８に示す例では、全体の読み出し速度を１０Ｍｂｐｓとすれば、例えばクラス１の読み出し帯域は、読み出し順序指定を行うためのメモリが１巡するまでにクラス１が５回指定されているため、クラス１の読み出し帯域は１０Ｍｂｐｓ×５／１０＝５Ｍｂｐｓとなる。従って、読み出し帯域を細かく制御するためには、読み出し順序パターンにおける指定回数をできるだけ多くとることが必要であり、そのためには大量のメモリ領域を必要とするので、ハードウェアのコストが上昇してしまう問題があった。」（５頁７欄）　
　
　上記引用例の記載及び図面ならびにこの分野における技術常識を考慮すると、図１７に記載されたショートセル多重装置において、以下のａ．〜ｅ．の処理が行われているが、
ａ．ショートセル識別手段１６は、ショートセル１のＣＩＤに基づいて、ショートセル１がどの品質クラスに属するかの識別処理を行う（摘記事項イの段落【００１３】）。
ｂ．ショートセル格納手段１８は、ショートセル識別手段１６の識別結果に基づいて、ＦＩＦＯ２２ａ〜２２ｎの夫々に同一のＣＩＤを有するショートセル１を各々格納する（摘記事項イの段落【００１４】）。
ｃ．読み出し順序制御手段２０は、ＦＩＦＯ２２ａ〜２２ｎの夫々に格納されたショートセル１の読み出し順序をショートセル読み出し手段１９に指示する（摘記事項イの段落【００１６】）。
ｄ．ショートセル読み出し手段１９は、読み出し順序制御手段２０から品質クラスの指定指示を受け取り、ＦＩＦＯ２２ａ〜２２ｎの何れかから複数のショートセル１を順次読み出し、ＡＴＭセルヘッダ生成部１２に対して送出する（摘記事項イの段落【００１７】）。
ｅ．ＡＴＭセルヘッダ生成部１２は、ショートセル読み出し手段１９から読み出された複数のショートセル１にＡＴＭセルヘッダ６を付加して出力することによって、ペイロード５に多重化されたショートセル１が埋め込まれたＡＴＭセル５を作成する（摘記事項イの段落【００１８】）。
　
・上記ａ．〜ｅ．の処理は、ＡＴＭセル５を作成するための処理であるから、ＡＴＭセルを作成する方法に関する処理であるといえ、
・図１７のショートセル多重化装置に入力するショートセル１は、従来ＡＴＭセルのペイロードに埋め込まれていた圧縮符号化情報を複数の情報長の短いショートセルとしたものであって、ＡＴＭセルの伝送速度と比較すると非常に低ビットレートの情報であるから（摘記事項アの段落【０００３】−【０００４】）、上記ａ．〜ｅ．の処理で作成されたＡＴＭセル５は、低ビットレートの圧縮符号化情報伝送用であるといえ、
・さらに、上記入力するショートセル１はそのショートセルヘッダ２にＣＩＤ（ショートセルコネクション識別子）を含む（摘記事項アの段落【０００５】）ことからコネクション毎に生成されることは自明であって、コネクション毎に圧縮符号化情報を複数のショートセルへ変換することにより生成されるものと認められ、また、このような、コネクション毎に生成、伝送される一連のショートセルをショートセルストリームと呼ぶことは一般的なことであり、
・図１７のショートセル多重装置のショートセル識別手段１６に入力するショートセルは、上記ａ．の処理においてＣＩＤ基づいてコネクションが識別されることから、複数のコネクションのショートセルを含んでいることは明らかであって、これを複数の入力ショートセルストリームということができ、また、ショートセル多重装置のショートセル読み出し手段１９から出力するショートセルは、同一のコネクション上で転送されるＡＴＭセル５内に多重化されることが摘記事項アの段落【０００７】の記載から明らかであって、これを、ひとつの同じＡＴＭ接続にまとめるための単一の出力ショートセルストリームということができ、
・上記ｄ．の処理によれば、上記複数の入力ショートセルストリームは、特定の読み出し順序で読み出され、単一の出力ショートセルストリームに順序指定されて多重化されるものであり、
　
　以上を総合すれば、上記引用例には、以下の発明（以下、「引用発明」という。）が開示されている。
　
「低ビットレートの圧縮符号化情報伝送用にＡＴＭセルを作成する方法であって、
　複数のコネクションの圧縮符号化情報を複数の入力ショートセルストリームへ変換するステップと、
　複数の入力ショートセルストリームを単一の出力ショートセルストリームに特定の読み出し順序で配列した形で、前記複数の入力ショートセルストリームを、ひとつの同じＡＴＭ接続にまとめるための前記単一の出力ショートセルストリームに多重化し、および複数の入力ショートセルストリームを前記単一の出力ショートセルストリームへと順序指定するための多重化および順序指定のステップとを含む方法。」
　
３．対比
　本願発明と引用発明とを対比するに、
ａ．引用発明の「低ビットレートの圧縮符号化情報」に関して、引用例の「無線を利用した移動通信の分野では、通信帯域の有効利用のため、ＡＴＭセルのペイロードには、伝送すべき情報が圧縮符号化された状態で埋め込まれる(セル化)。」（摘記事項アの段落【０００３】）の記載によれば、移動通信装置間で伝送される情報であって、このような情報が音声通話アプリケーション等の何らかのアプリケーションの実行に伴って伝送されるものであることは技術常識であるから、引用発明の「低ビットレートの圧縮符号化情報伝送用」は本願発明の「低ビットレートアプリケーション用」に含まれ、
ｂ．引用発明の「ＡＴＭセルを作成する方法」と本願発明の「ＡＴＭセルを生成する方法」は同義であり、
ｃ．引用発明の「複数のコネクションの圧縮符号化情報を複数の入力ショートセルストリームへ変換するステップ」と本願発明の「複数の着信データユニットストリームを複数の着信ショートパケットストリームへ変換するためのセグメント化およびパケット化のステップであってデータユニットをショートパケットへパケット化する前に長いデータユニットをセグメント化することを含むステップ」とを対比するに、
ｃ１．上記ａ．で検討したように、引用発明の「圧縮符号化情報」は移動通信装置間で伝送される情報であるが、このような情報がパケットストリームのような、一連の所定単位のデータのかたまりとして伝送されてくることは技術常識であって、引用発明の「複数のコネクションの圧縮符号化情報」は本願発明の「複数の着信データユニットストリーム」に相当し、
ｃ２．引用発明において「ショートセル」は、「ペイロード長の短い可変長」（摘記事項アの段落【０００４】）のセルであって、「ショートセルヘッダ２とショートセルペイロード３とからなる。」（摘記事項アの段落【０００５】）ものであって、本願発明の「ショートパケット」に相当するが、このようなショートセルを作成するためには、圧縮符号化情報をセグメント化して短いペイロードを作成し、かつ、ショートセルヘッダを付加するパケット化処理が必要であることは明らかであり、また、引用発明の「入力」は本願発明の「着信」に相当するから、引用発明の「複数の入力ショートセルストリームへ変換するステップ」と本願発明の「複数の着信ショートパケットストリームへ変換するためのセグメント化およびパケット化のステップであってデータユニットをショートパケットへパケット化する前に長いデータユニットをセグメント化することを含むステップ」は、「複数の着信ショートパケットストリームへ変換するためのセグメント化およびパケット化のステップ」である点で共通し、
ｄ．引用発明の「複数の入力ショートセルストリームを単一の出力ショートセルストリームに特定の読み出し順序で配列した形で」と本願発明の「種々の着信データユニットストリームの長いデータユニットに対応するショートパケットを単一の発信ショートパケットストリームにインタリーブできるような形で」とを対比するに、
ｄ１．引用発明の「複数の」は複数のコネクションを意味しており、本願発明の「種々の」と同義であり、
ｄ２．引用発明の「入力」は本願発明の「着信」に相当し、引用発明の「入力ショートセルストリーム」と本願発明の「着信データユニットストリームの長いデータユニットに対応するショートパケット」とは、「着信ショートパケット」である点で共通し、
ｄ３．引用発明の「出力」は本願発明の「発信」に相当し、
ｄ４．本願発明の「インタリーブ」が具体的にどのような状態を意味するのかは、本願明細書および図面の記載を参酌しても必ずしも明確ではないが、複数系列のパケットを交互に配置するという点で「特定の順序」といえるから、引用発明の「特定の読み出し順序で配列した形で」と本願発明の「インタリーブできるような形で」とは、「特定の順序で配列した形で」で共通し、
ｅ．引用発明の「前記複数の入力ショートセルストリームを、ひとつの同じＡＴＭ接続にまとめるための前記単一の出力ショートセルストリームに多重化し、および複数の入力ショートセルストリームを前記単一の出力ショートセルストリームへと順序指定するための多重化および順序指定のステップ」と本願発明の「前記複数の着信ショートパケットストリームを、ひとつの同じＡＴＭ接続にまとめるための前記単一の発信ショートパケットストリームに多重化し、および種々の着信ショートパケットストリームを前記単一の発信ショートパケットストリームへとスケジュールするための多重化およびスケジューリングのステップ」とを対比するに、
ｅ１．引用発明の「入力ショートセルストリーム」、「出力ショートセルストリーム」は、それぞれ本願発明の「着信ショートパケットストリーム」、「発信ショートパケットストリーム」に相当し、
ｅ２．引用発明の「順序指定」と本願発明の「スケジューリング」とは実質的に差異は無い。
　
　以上をまとめると、結局両者は以下の点で一致ないし相違している。
　
（一致点）
「低ビットレートアプリケーション用にＡＴＭセルを生成する方法であって、
　複数の着信データユニットストリームを複数の着信ショートパケットストリームへ変換するためのセグメント化およびパケット化のステップと、
　種々の着信ショートパケットを単一の発信ショートパケットストリームに特定の順序で配列した形で、前記複数の着信ショートパケットストリームを、ひとつの同じＡＴＭ接続にまとめるための前記単一の発信ショートパケットストリームに多重化し、および種々の着信ショートパケットストリームを前記単一の発信ショートパケットストリームへとスケジュールするための多重化およびスケジューリングのステップとを含む方法。」
　
（相違点１）
　「セグメント化およびパケット化のステップ」に関し、
　本願発明が「データユニットをショートパケットへパケット化する前に長いデータユニットをセグメント化することを含む」のに対し、
　引用発明ではこのような処理を含むか否かが不明である点。
　
（相違点２）
　「種々の着信ショートパケットを単一の発信ショートパケットストリームに特定の順序で配列した形で」が、
　本願発明では「種々の着信データユニットストリームの長いデータユニットに対応するショートパケットを単一の発信ショートパケットストリームにインタリーブできるような形で」であるのに対し、
　引用発明では「複数の入力ショートセルストリームを単一の出力ショートセルストリームに特定の読み出し順序で配列した形で」である点。
　
４．検討
　上記各相違点につき検討する。
　
（相違点１）について
　上記「３．対比」の項中の「ｃ２．」の項で検討したように、引用発明の「複数の入力ショートセルストリームへ変換するステップ」において、ショートセルを作成するためには、圧縮符号化情報をセグメント化して短いペイロードを作成し、かつ、ショートセルヘッダを付加するパケット化処理が必要であることは明らかであるが、ここで、上記「圧縮符号化情報」はセグメント化される前の情報であって本願発明の「データユニット」に相当し、そのデータの長さは、セグメント化される前の情報であるから「長い」「データユニット」であることはそもそも自明である。
　加えて、本願明細書に従来例として記載されている国際公開第９７／４８２５１号に記載されているように、ＡＴＭセルのペイロードの長さよりも大きい極端に長いミニセルをセグメント化およびパケット化してＡＴＭセルに埋め込むことは周知技術に過ぎない（上記従来例の「minicells with a data portion that is longer than a predefined length (e.g., the length of an ATM cell payload)」（第２頁第２５〜２７行）（当審仮訳）（データ部が所定の長さ（たとえば、ＡＴＭセルのペイロードの長さ）より大きくて極端に長いミニセル）、「U.S. Patent Application No. 08/630,578 describes a method for segmenting excessively large user data packets as illustrated in FIG. 3. First, the SAR sublayer 201 segments the user data packet 305 into a number of segments. Each segment, except the last segment, has a predefined length. The predefined length may be, for example, 8, 16, 32, or 46 octets. In FIG. 3, the predefined length for each segment (except for the last segment) is 16 octets. The length of the last segment, however, reflects the remaining portion of the user data packet 305, rounded to the nearest octet. Next, the AAD sublayer inserts each segment into a minicell with an appropriate header.」（第３頁第１４〜２６行）（当審仮訳）（米国特許出願第０８／６３０，５７８号は、図３に示すように、極端に長いユーザのデータ・パケットをセグメント化する方法を説明している。まず、ＳＡＲサブレイヤー２０１はユーザデータ・パケット３０５をいくつかの数のセグメントに分割する。最終セグメント以外の各セグメントは所定の長さになっている。所定の長さとは、たとえば、８、１６、３２または４６オクテットでよい。図３において（最終セグメント以外の）各セグメントの所定の長さは１６オクテットである。しかし、最終セグメントは、最も近いオクテットに四捨五入されたユーザデータ・パケット３０５の残りの部分を反映したものとなっている。つぎに、ＡＡＤサブレイヤーは、適切なヘッダーを備えたミニセルに、各セグメントを挿入する。）等の記載参照。）。
  したがって、引用発明の「複数の入力ショートセルストリームへ変換するステップ」において、セグメント化およびパケット化するデータユニットとして本願発明のように「長いデータユニット」を単に選択することにより、「データユニットをショートパケットへパケット化する前に長いデータユニットをセグメント化することを含む」ようにすることは当業者が必要に応じて適宜なし得たものである。
　
（相違点２）について
　まず、「（相違点１）について」における検討からも明らかなように、入力ショートセルストリームを「長いデータユニット」から変換して作成することは当業者が必要に応じて適宜なし得たものである。
　次に、引用発明の「特定の読み出し順序」について、引用例には、「品質クラス毎にどの程度の読み出し帯域とするかを予め決めておき、上述した読み出し順序設定パターン内でその品質クラス番号を何回指定するかで帯域を決めることとなる。」（摘記事項エの段落【００２２】）と記載され、さらに、その例として、クラス１，クラス２，クラス３の入力ショートセルについて「１→２→１→２→１→２→３→１→２→１という順序(読み出し順序パターン)」（摘記事項ウの段落【００２１】）が記載されているが、【図１８】の記載からも分かるように、このパターンを複数回繰り返して読み出されるものである。
　とすると、出力ショートセルストリームには、同じクラスの入力ショートセルがほとんど連続することなく互い違いに現れることになり、このような形は「インタリーブできるような形」と呼べるものである。
　したがって、引用発明の「複数の入力ショートセルストリームを単一の出力ショートセルストリームに特定の読み出し順序で配列した形で」を、本願発明のように「種々の着信データユニットストリームの長いデータユニットに対応するショートパケットを単一の発信ショートパケットストリームにインタリーブできるような形で」とすることは、引用例の記載に基づいて当業者が容易に想到し得るものである。
　
　そして、本願発明が奏する効果も引用発明から容易に予測出来る範囲内のものである。
　
５．むすび
　以上のとおり、本願発明は、上記引用例に記載された発明に基づいて、当業者が容易に発明をすることができたものと認められるから、特許法第２９条第２項の規定により特許を受けることができない。
　
　よって、結論のとおり審決する。